(57)【特許請求の範囲】
【請求項１】
少なくとも、複数の画像データを記憶する画像蓄積手段と、前記画像データに関する情報の全てを記憶する全関連情報記憶手段と、前記画像データに関する情報全てのうち、外部装置が操作に必要とする一部情報を前記複数の画像データのそれぞれに対応させて記憶する一部関連情報記憶手段と、前記外部装置とのデータ通信に用いる通信手段と、
前記画像データを前記画像蓄積手段に蓄積する際、前記画像データに対する付加情報の全てを構造化したデータ形式で前記全関連情報記憶手段に保持、管理し、全ての付加情報から前記外部装置が必要とする一部情報だけを抽出し、抽出した一部情報を構造化したテキスト情報に整形可能な形式で前記一部関連情報記憶手段に保持、管理し、前記外部装置に対して、前記一部情報を構造化したテキスト情報に整形して提供する制御手段とを設けた画像処理装置と前記外部装置とがネットワークを介して接続された画像処理システムであって、
前記外部装置から前記画像処理装置に対し、前記蓄積された画像データに関する前記付加情報の参照要求がされると、前記全関連情報記憶手段に記憶できる画像データの上限数を根拠にした長期ＩＤ番号および前記全関連情報記憶手段に記憶できる画像データの一部を根拠にした短期ＩＤ番号に対応する前記付加情報を前記一部関連情報記憶手段から取得し、前記取得された付加情報を前記外部装置に通知することを特徴とする画像処理システム。
【請求項２】
前記一部関連情報記憶手段は、不揮発性メモリからなることを特徴とする請求項１に記載の画像処理システム。
【請求項３】
前記一部関連情報記憶手段は、少なくとも画像データの蓄積時間を示す時間情報を記憶していることを特徴とする請求項１または２に記載の画像処理システム。
【発明の詳細な説明】
【０００１】
【発明の属する技術分野】
本発明は、取得した画像データを処理する画像処理装置および画像処理システムに関する。
【０００２】
【従来の技術】
従来、画像入出力機能または／およびファクシミリ通信機能を有する画像処理装置（ディジタル複合機など）においては、大量の画像データおよびこの画像データに関する諸情報（全ての付加情報）を効率的に保存管理するため、この諸情報を当該画像データと同一ディレクトリ下に記憶するか、あるいは当該画像データと同様のディレクトリ構造下に関連付けて記憶するようにしている。具体的には、ファイル名、アクセス権、記憶位置情報、画像オフセット情報、画像の回転情報、画像を構成する色情報、ユーザ情報、時間情報、現在のアクセス状態情報、用紙情報、圧縮情報、各種マトリクス情報、画像データの有効期限、記憶したアプリケーション情報（データ種類に含まれる）、サイズ情報、解像度情報、階調情報、抽出した文書情報、パスワード、ページ数、画素数情報、画像処理情報、画質モード情報、キーワード情報などを記憶している。
【０００３】
また、前記画像処理装置とパーソナルコンピュータ（以下、パソコンと略す）などの外部装置とがネットワークを介して接続されている場合、前記画像処理装置で記憶・蓄積している画像データを前記外部装置から操作するためには、前記諸情報の一部を用いる。具体的には、ファイル名、ユーザ情報、時間情報、サイズ情報、データ種類、キーワード情報などを用いることとなる。
【０００４】
【発明が解決しようとする課題】
しかしながら、前記諸情報は前記画像処理装置のファイルシステム中に散在するため、前記諸情報から特定の情報（画像の操作に必要な情報）を取りだし、これを用いて画像データのソート処理などを実行しようとすると、他の処理に比べて処理時間が長くなるという問題がある。
【０００５】
本発明の目的は、このような問題点を改善し、画像の操作に必要な処理時間を短縮するのに好適な画像処理装置および画像処理システムを提供することにある。
【０００６】
【課題を解決する手段】
請求項１に記載の発明は、少なくとも、複数の画像データを記憶する画像蓄積手段と、前記画像データに関する情報の全てを記憶する全関連情報記憶手段と、前記画像データに関する情報全てのうち、外部装置が操作に必要とする一部情報を前記複数の画像データのそれぞれに対応させて記憶する一部関連情報記憶手段と、前記外部装置とのデータ通信に用いる通信手段と、前記画像データを前記画像蓄積手段に蓄積する際、前記画像データに対する付加情報の全てを構造化したデータ形式で前記全関連情報記憶手段に保持、管理し、全ての付加情報から前記外部装置が必要とする一部情報だけを抽出し、抽出した一部情報を構造化したテキスト情報に整形可能な形式で前記一部関連情報記憶手段に保持、管理し、前記外部装置に対して、前記一部情報を構造化したテキスト情報に整形して提供する制御手段とを設けた画像処理装置と前記外部装置とがネットワークを介して接続された画像処理システムであって、前記外部装置から前記画像処理装置に対し、前記蓄積された画像データに関する前記付加情報の参照要求がされると、前記全関連情報記憶手段に記憶できる画像データの上限数を根拠にした長期ＩＤ番号および前記全関連情報記憶手段に記憶できる画像データの一部を根拠にした短期ＩＤ番号に対応する前記付加情報を前記一部関連情報記憶手段から取得し、前記取得された付加情報を前記外部装置に通知することに特徴がある。
【０００７】
外部装置からの操作要求時に、画像処理装置のファイルシステム中に散在する諸情報（全ての付加情報）から、画像の操作に必要な一部情報を取りだすことなく、一部関連情報記憶手段（操作情報メモリなど）から必要情報を取り出すことで、画像の操作に要する処理時間を短縮できることとなる。
【０００９】
全関連情報記憶手段（例えば、ＨＤＤなど）に記憶されている画像データに関する諸情報（全ての付属情報）の中から、外部計算機（例えば、パーソナルコンピュータ（クライアントＰＣ））が必要とする情報だけを抽出し、構造化したテキスト情報に整形しやすい形式にて、一部関連情報記憶手段により保持、管理できるので、外部計算機からアプリケーション・プログラムにより画像データの付加情報（一部の情報）の提示が要求された場合に、即座に前記付加情報を整形し、外部計算機に提示できることとなる。
【００１０】
請求項２に記載の発明は、請求項１において、前記一部関連情報記憶手段は、不揮発性メモリからなることに特徴がある。
【００１１】
例えば、ＮＶＲＡＭなどの不揮発性メモリに全付加情報からの抽出情報を保持することで、画像処理装置で突然の電源断などに対応できる。また、ＮＶＲＡＭなどを用いることで、外部装置で画像操作に必要な付加情報（一部）のみを、全ての付加情報（諸情報）をアクセスする場合よりも高速にアクセスでき、より迅速に必要な操作を実行できることとなる。
【００１６】
請求項３に記載の発明は、請求項１または２において、前記一部関連情報記憶手段は、少なくとも画像データの蓄積時間を示す時間情報を記憶していることに特徴がある。
【００１８】
【発明の実施の形態】
以下、本発明の実施の一形態を図面を用いて説明する。
図１に示すように、本実施形態の画像処理システムは、画像データを取り込んで必要な画像処理を施すと共に、画像データを蓄積するための画像処理装置（ディジタル複写機）１０１と、このディジタル複写機１０１に蓄積されている画像データ（文書）の参照、操作指示などを行う機能を有するパーソナルコンピュータ（以下、パソコンと略す）１０２とが、ＬＡＮ１０３にデータ通信可能に接続されたものである。また、ディジタル複写機１０１は、ＬＡＮ１０３に接続される一方で、ＩＳＤＮ、ＰＳＴＮなどの公衆回線網（図示せず）に接続されている。ここで、ＬＡＮ１０３に限らず、インターネットなどのネットワーク上に前述の画像処理システムを構築してもよい。あるいは、パソコン１０２の画像操作機能を、ディジタル複写機１０１とインタフェースを介して接続された外部操作装置に持たせ、ＬＡＮ１０３などのネットワークに替えて前記インタフェースを通信手段としてもよい。
【００１９】
また、ディジタル複写機１０１の構成は、図２に示すとおりである。図２において、ＣＰＵ１１は、ＲＯＭ１２に記憶したソフトウェア（制御プログラムなど）を実行してスキャナ２１、プロッタ２２を含む装置全体の動作を制御し、また、ＨＤＤ１５に記憶したプログラムを実行して本実施形態の操作情報抽出動作、記憶動作などを制御する。ＲＡＭ１３は、ファクシミリの制御に際して必要なデータを一時保管したり、ネットワークの制御の際のプロトコル処理を行うためのメモリである。操作情報メモリ１４は、画像データの付加情報から抽出した操作情報（画像を操作するために必要な情報）を記憶するための高速アクセス可能な不揮発性メモリである。なお、前記操作情報をＨＤＤ１５あるいは他の不揮発性メモリに保持してもよい。ＲＯＭ１２は、ファクシミリの制御手順やネットワークの制御手順を記憶しておく、読み出し専用メモリである。ＨＤＤ１５は、本実施形態の画像処理機能を実現するためのプログラムを記憶し、また、ネットワーク１０３あるいは公衆回線網からのファクシミリ画像データ、およびスキャナ２１で読み取った画像データ、ならびにそれらの画像データに関する諸情報（全ての付加情報）を蓄積するための大容量記憶装置である。スキャナ２１は、ファクシミリデータの送信操作に必要となる画像を紙文書から読み取るためのデータ読取部である。プロッタ２２は、ＨＤＤ１５に蓄積された読み取りデータあるいは受信データを記録紙に印刷出力するための書込部である。
【００２０】
ＭＯＤＥＭ１８は、データ読み取りの後、２値符号化された画情報をＰＳＴＮなどの公衆回線に伝送可能とするための変調を実施し、また、相手先からの変調された画情報の符号をもとの２値符号に戻すための復調を実施するものである。網制御部（ＮＣＵ）１９は、相手先からのＤＴＭＦ信号を検出・解析するための検出器である。符号化復号化部（ＤＣＲ）２０は、スキャナ２１で読み取った２値画像を圧縮し符号化し、また、相手先から送られてきた圧縮符号をプロッタ２２によりプリントできるように２値画像に復号化するものである。なお、符号化復号化部（ＤＣＲ）２０を画像処理部（ＩＰＵ）１６などに含む構成としてもよい。操作表示部（オペパネ） ２３は、テンキー、スタート／ストップキーなどのキー群、操作画面あるいは動作モードを表示するための表示器（例えば、ＬＣＤ）などを備え、ユーザがディジタル複写機１０１を操作するために使用する入出力部である。ＬＡＮコントローラ（あるいは、ネットワーク・インタフェース・カード（ＮＩＣ））１７は、パソコン１０２（あるいは、外部通信端末）とディジタル複写機１０１を接続し、ネットワーク（ＬＡＮ）１０３から受信したデータのデコードを行い、また、ネットワーク１０３へ送信するデータのエンコードを行い、送信フレームや受信フレームのバッファリングを行うネットワーク制御用ＬＳＩである。画像処理部（ＩＰＵ）１６は、スキャナ２１で読み取った画像に対して画像処理を施すものである。
【００２１】
一方、パソコン１０２には、詳細に図示していないが、少なくとも、装置全体を制御するＣＰＵと、ネットワーク制御および画像操作に際し、必要なデータを一時保持したり、ネットワーク制御の際のプロトコル処理を行なうためのＲＡＭと、前記ＣＰＵの制御プログラムやネットワーク制御手順などを記憶しておくＲＯＭと、マウスやキーボードなどからなり、ディジタル複写機１０１に対して画像操作などを指示するための入力装置と、ＣＲＴなどの出力装置と、パソコン１０２（あるいは、外部通信端末）とディジタル複写機１０１を接続してデータ通信を行うためのインタフェース（ＬＡＮコントローラ１７に相当）とを備える。
【００２２】
ここで、図３を参照しながら、操作情報メモリ１４に記憶された操作情報の記憶方法を説明する。
【００２３】
図３において、短期ＩＤ番号は、ＨＤＤ１５に記憶できる画像データの一部を根拠にしたＩＤ番号であり、長期ＩＤ番号は、ＨＤＤ１５に記憶できる画像データの上限数を根拠にしたＩＤ番号であって、蓄積順（蓄積時間順）にインクリメントされるものである。前記短期ＩＤ番号と長期ＩＤ番号とは対応づけられている。なお、短期ＩＤ番号を、ＨＤＤ１５に記憶できる画像データの上限数を根拠にしたＩＤ番号とし、長期ＩＤ番号を、例えばＨＤＤ１５への蓄積順（蓄積時間順）に単調にインクリメントされるものとしてもよい。この場合、ＨＤＤ１５の容量を超えて他のサーバ装置などに蓄積された画像データに対応可能である。ファイル名、ユーザ情報、時間情報、サイズ情報、データ種類、およびキーワード情報は、パソコン１０２からの指示で画像操作を行うために必要な操作情報である。これらの操作情報は、短期ＩＤ番号によってインデクスされる不揮発性の操作情報メモリ１４内のメモリ位置（画像データ管理テーブル）に記憶され、ＣＰＵ１１で管理することとなる。また、前記操作情報は、画像データに付属する諸情報（全ての付加情報）の一部であって、画像データ蓄積時にＣＰＵ１１によって抽出され、前述のように操作情報メモリ１４に保持される。なお、前記付加情報は、前述のようにファイル名、アクセス権、記憶位置情報、画像オフセット情報、画像の回転情報、画像を構成する色情報、ユーザ情報、時間情報、現在のアクセス状態情報、用紙情報、圧縮情報、各種マトリクス情報、画像データの有効期限、記憶したアプリケーション情報（データ種類に含まれる）、サイズ情報、解像度情報、階調情報、抽出した文書情報、パスワード、ページ数、画素数情報、画像処理情報、画質モード情報、キーワード情報などである。
【００２４】
この構成により、パソコン１０２から画像操作に必要な付加情報の提示が要求されると、操作情報メモリ１４から当該操作情報を読み出し、整形してパソコン１０２に提供することとなる。また、パソコン１０２から蓄積済み画像データのリスト参照や蓄積済み画像データの参照の要求があると、ディジタル複写機１０１からパソコン１０２に対して、長期ＩＤ番号に対応させた短期ＩＤ番号のリストや検索画像の長期ＩＤ番号が提供され、パソコン１０２では、前述の長期ＩＤ番号を用いてＨＤＤ１５に蓄積されている画像データを特定し、また、当該長期ＩＤ番号によって印刷要求などを行うこととなる。
【００２５】
次に、図４を参照しながら、ディジタル複写機１０１の画像読み取り動作および蓄積動作を説明する。
【００２６】
ＣＰＵ１１は、操作表示部２３から、あるいはネットワーク１０３およびＬＡＮコントローラ１７を介してパソコン１０２から、画像読取要求があると（ｓ４０１のｙｅｓ）、読み取り対象の画像に対して前述の短期ＩＤ番号および長期ＩＤ番号（前回の操作で割り当てた長期ＩＤ番号に１を加算したもの）を割り当て（ｓ４０２）、この割り当てが成功した場合（ｓ４０３のｙｅｓ）は、読取動作を開始する（ｓ４０５）。また、前記割り当てが失敗した場合（ｓ４０３のｎｏ）には、その旨を示すエラーメッセージを操作表示部２３に表示するか、あるいはパソコン１０２に通知する（ｓ４０４）。この場合、パソコン１０２では、前記ＣＲＴなどにエラーメッセージを出力することとなる。
【００２７】
前述のように、ディジタル複合機１０１において、割り当て成功時にスキャナ２１で読み取った画像データは、画像処理部１６で必要な画像処理が施された後、ＨＤＤ１５に記憶される（ｓ４０６）。なお、ネットワーク１０３およびＬＡＮコントローラ１７を介して外部（パソコン１０２など）から蓄積用に送信された画像データ、あるいはネットワーク１０３または公衆回線網を介して接続された他の通信装置からのファクシミリ受信データも同様にＨＤＤ１５に保持される。また、ＣＰＵ１１は、ＨＤＤ１５に記憶したプログラムに従って、ＨＤＤ１５に記憶した前記画像データに関する諸情報（全ての付加情報）をＨＤＤ１５に記憶させ、管理する（ｓ４０７）。ここで、ＣＰＵ１１は、操作表示部２３あるいはパソコン１０２から画像操作を行う際に必要な操作情報（図３に示す）だけを前記諸情報から抽出し、前記短期ＩＤ番号および長期ＩＤ番号を割り当て、操作情報メモリ１４に記憶させて管理する（ｓ４０８）。
【００２８】
次に、図５を参照しながら、ディジタル複写機１０１の画像削除動作を説明する。
【００２９】
ＣＰＵ１１は、操作表示部２３から、あるいはネットワーク１０３およびＬＡＮコントローラ１７を介してパソコン１０２から、削除対象の画像データファイルの長期ＩＤ番号と、削除操作を示す操作情報とを含むコマンド（画像削除要求）があると（ｓ５０１のｙｅｓ）、削除対象の画像データファイルが存在するか否かを確認する（ｓ５０２）。その結果、当該画像データファイルが存在しない場合には、その旨を示すエラーメッセージを操作表示部２３に表示するか、あるいはパソコン１０２に通知する（ｓ５０３）。この場合、パソコン１０２では、前記ＣＲＴなどに前記エラーメッセージを出力することとなる。
【００３０】
また、ＨＤＤ１５に当該画像データファイルが存在する場合には、（ｓ５０２のｙｅｓ）、操作表示部２３から入力されたパスワード、あるいはネットワーク１０３およびＬＡＮコントローラ１７を介してパソコン１０２から送信・入力されたパスワードと、当該画像データファイルに付与されているパスワードとを照合する（ｓ５０４）。その結果、両者が一致しない場合は、その旨を示すエラーメッセージを操作表示部２３に表示するか、あるいはパソコン１０２に通知する（ｓ５０５）。この場合、パソコン１０２では、前記ＣＲＴなどに前記エラーメッセージを出力することとなる。
【００３１】
また、両者が一致する場合には（ｓ５０４のｙｅｓ）、ＨＤＤ１５から当該画像データファイルを削除し（ｓ５０６）、次いで当該画像データに関する諸情報の全てを削除し（ｓ５０７）、次いで前記諸情報から抽出した操作情報を記憶した操作情報メモリ１４の当該領域をクリアする（ｓ５０８）。次いで、当該画像データファイルを削除した旨を他プロセスに通知するとともに（ｓ５０９）、削除成功を示すメッセージを操作表示部２３に表示するか、あるいはパソコン１０２に通知する（ｓ５１０）。この場合、パソコン１０２では、前記ＣＲＴなどに前記メッセージを出力することとなる。
【００３２】
次に、図６を参照しながら、前記操作情報を用いた画像操作を説明する。
【００３３】
ＣＰＵ１１は、操作表示部２３から、あるいはネットワーク１０３およびＬＡＮコントローラ１７を介してパソコン１０２から、何らかの操作要求があると（ｓ６０１のｙｅｓ）、その操作要求が蓄積画像データの一覧要求であるか否かを確認する（ｓ６０２）。その結果、ＨＤＤ１５に蓄積した画像データの一覧情報の提示要求である場合は、操作情報メモリ１４に保持した操作情報のうち、ソート処理に利用する情報が特定されていれば、その特定情報と長期ＩＤ番号とを操作情報メモリ１４に記憶している全エントリに関してＲＡＭ１３に書き出し（ｓ６０３）、また、ソート処理に利用する情報が特定されていなければ、時間情報と長期ＩＤ番号とを操作情報メモリ１４に記憶している全エントリに関してＲＡＭ１３に書き出し（ｓ６０３）、前記特定情報あるいは時間情報が順番になるようにソート処理する（ｓ６０４）。次いで、ＣＰＵ１１はソート処理の結果順に並べられた長期ＩＤ番号のリストを作成し、このリストを操作表示部２３に表示するか、あるいはパソコン１０２に通知する（ｓ６０５）。この場合、パソコン１０２では、前記ＣＲＴなどに前記リストを出力することとなる。
【００３４】
また、ＣＰＵ１１は、操作表示部２３から、あるいはネットワーク１０３およびＬＡＮコントローラ１７を介してパソコン１０２から、何らかの操作要求があり（ｓ６０１のｙｅｓ）、その操作要求が蓄積画像データに関する付加情報（操作情報）の参照要求である場合は（ｓ６０６のｙｅｓ）、この参照要求を構成する長期ＩＤ番号のリストからリスト先頭の長期ＩＤ番号を取得し（ｓ６０７）、この長期ＩＤ番号（および短期ＩＤ番号）に対応する操作情報を操作情報メモリ１４から取得する（ｓ６０８）。次いで、この長期ＩＤ番号が前記リストで最終の長期ＩＤ番号である場合は（ｓ６０９のｙｅｓ）、取得した操作情報を操作表示部２３に表示するか、あるいはパソコン１０２に通知する（ｓ６１０）。この場合、パソコン１０２では、前記ＣＲＴなどに前記取得した操作情報を出力することとなる。なお、前記長期ＩＤ番号が前記リストで最終の長期ＩＤ番号ではない場合は（ｓ６０９のｎｏ）、操作情報の取得動作を繰り返す（ｓ６０８）。
【００３５】
さらに、ＣＰＵ１１は、操作表示部２３から、あるいはネットワーク１０３およびＬＡＮコントローラ１７を介してパソコン１０２から、何らかの操作要求があり（ｓ６０１のｙｅｓ）、その操作要求が蓄積画像データの印刷要求である場合は（ｓ６０６のｎｏ、ｓ６１２のｙｅｓ）、ＨＤＤ１５に記憶された諸情報のうち、操作表示部２３あるいは前記入力装置で特定された画像データについての印刷に関する情報を取得し（ｓ６１３）、この情報に基づき、プロッタ２２を制御して印刷動作を実行させる（ｓ６１４）。
【００３６】
なお、画像データファイルのソートは、操作情報メモリ１４あるいは他の不揮発性メモリに記憶してある操作情報のいずれを用いても実施可能である。また、前記操作情報のうち、特定情報を用いて画像データファイルを検索してもよい。さらに、前記操作情報に係る画像データファイルは、ＨＤＤ１５に記憶している全画像データでもよいし、この全画像データの一部（例えば、ある時刻以後に蓄積された最近の画像データファイル、所定の値よりもアクセス頻度の高い画像データファイルなど）であってもよい。
【００３７】
以上のように、本実施形態の画像処理システムは、ディジタル複写機１０１に、少なくとも、複数の画像データと、この画像データに関する諸情報の全てを記憶するＨＤＤ１５と、前記画像データに関する諸情報のうち、パソコン１０２が操作に必要とする一部情報を前記複数の画像データのそれぞれに対応させて記憶する操作情報メモリ１４と、パソコン１０２とのデータ通信に用いるＬＡＮインタフェース１０３とを設けたので、諸情報（全ての付加情報）から、画像の操作に必要な一部情報を取りだす必要がなくなり、画像の操作に要する処理を簡素化できる。
【００３８】
なお、ＨＤＤ１５などが前記画像蓄積手段および前記全関連情報記憶手段を構成し、操作情報メモリ１４などが前記一部関連情報記憶手段を構成し、ＬＡＮコントローラ１７などが前記通信手段を構成し、パソコン１０２などが前記外部装置を構成する。
【００３９】
【発明の効果】
請求項１に記載の発明によれば、クライアント・パソコンなどの外部装置からの操作要求時に、画像処理装置のファイルシステム中に散在する諸情報（全ての付加情報）から、画像の操作に必要な一部情報を取りだすのではなく、一部関連情報記憶手段（操作情報メモリなど）から必要情報のみを取り出すので、画像の操作に要する処理時間を短縮できる。
【００４０】
請求項２に記載の発明によれば、蓄積している画像データに関する諸情報（全ての付加情報）の中から、外部装置（クライアントＰＣなど）が必要とする一部情報だけを抽出し、構造化したテキスト情報に整形しやすい形式にて不揮発性メモリで保持、管理するので、外部装置からPlumeria(Ridoc Desk)などのアプリケーションにより前記一部情報の提示が要求された場合、即座に前記一部情報を構造化したテキスト情報に整形して提示することができる。
【００４１】
請求項３に記載の発明によれば、一部関連情報記憶手段としてＮＶＲＡＭなどの不揮発性メモリを用いることで、外部装置が画像操作に必要とする一部付加情報のみを高速にアクセスでき、画像データの諸情報から前記一部情報を取得する場合に比べ、迅速に必要な操作を実行できる。また、画像処理装置での突然の電源断などに対応できる。
【００４２】
請求項４に記載の発明によれば、外部装置からの操作要求時に、一部関連情報記憶手段（操作情報メモリなど）から適宜必要な情報を取り出し、これを利用してソート処理を実行するので、画像データの諸情報から必要情報を取りだす方法に比べ、画像データの一覧提示のために要する処理時間を短縮できる。
【００４３】
請求項５に記載の発明によれば、画像データファイルのＩＤ番号を全画像データファイルの一部とすることで、例えば、ある時刻以後に蓄積された最近の画像データファイル、あるいは所定の値よりもアクセス頻度の高い画像データファイルなど、クライアントが必要とする画像を分類して蓄積できる。
【００４４】
請求項６に記載の発明によれば、蓄積画像データの一覧情報の提示が要求されながら、ソート処理に利用する操作情報（一部抽出した付加情報）が特定されていない場合には、抽出した付加情報のうちの時間情報を用いることにより、画像データファイルに付与されたＩＤ番号を蓄積順にソート処理できる。
【００４５】
以上説明したように、本発明によれば、画像の操作に必要な処理時間を短縮することができる。
【図面の簡単な説明】
【図１】本発明の実施の一形態に係る画像処理システムの構成図である。
【図２】本発明の実施の一形態に係る画像処理装置の構成を示すブロック図である。
【図３】本発明の実施の一形態に係る画像データ管理テーブルを示す図である。
【図４】本発明の実施の一形態に係る画像読取動作を示すフローチャートである。
【図５】本発明の実施の一形態に係る画像削除動作を示すフローチャートである。
【図６】本発明の実施の一形態に係る画像操作を示すフローチャートである。
【符号の説明】
１１  ＣＰＵ
１２  ＲＯＭ
１３  ＲＡＭ
１４  操作情報メモリ
１５  ＨＤＤ
１６  ＩＰＵ
１７  ＬＡＮコントローラ（あるいはＮＩＣ）
２１  スキャナ
２２  プロッタ
２３  操作表示部（オペパネ）
【図１】
0004037060.tif 000002
【図２】
0004037060.tif 000003
【図３】
0004037060.tif 000004
【図４】
0004037060.tif 000005
【図５】
0004037060.tif 000006
【図６】
0004037060.tif 000007